(57)【要約】【課題】ＦＰ発光の際に、ＩＧＢＴ信号をＦＰ発光の微小発光のためにオンオフするたびにトリガコンデンサ５が閃光発光管の管電流によって充放電され、トリガコイルが誤動作してノイズが発生してしまうことを防ぐ。【解決手段】閃光発光管の管電流を回生することでトリガコンデンサを充電する回生回路と、回生回路の接続と切り離しを切り替えるスイッチ手段と、各デバイスを制御する制御手段とを有するフラッシュ装置において、直近の発光から次の発光までの時間の方が、閃光発光管の管電流を回生せずに、次回発光のためにトリガコンデンサを充電したときにかかる時間より短く、且つ直近の発光がＦＰ発光の場合には、発光開始直後に回生回路を接続し、閃光発光管の管電流を回生してトリガコンデンサを充電すると、スイッチ手段により回生回路の接続を切り離して、残りのＦＰ発光の微小発光を行うことを特徴とするフラッシュ装置を提供する。【選択図】図１
2013210528.tif 000002
【特許請求の範囲】
【請求項１】
電圧が印加されることによって発光する閃光発光管と、
前記閃光発光管にトリガをかけるトリガコンデンサと、
前記閃光発光管の管電流を回生することでトリガコンデンサを充電する回生回路と、
前記回生回路の接続と切り離しを切り替えるスイッチ手段と、
各デバイスを制御する制御手段と、
を有し、
前記回生回路は、前記閃光発光管と前記スイッチ手段の間の位置に配置される
ことを特徴とするフラッシュ装置
において、
前記制御手段は、前記制御手段の発光命令のうち、直近の発光から次の発光までの時間と、前記閃光発光管の管電流を回生せずに、次回発光のため、前記トリガコンデンサを充電したときにかかる時間とを比較し、直近の発光から次の発光までの時間の方が、前記閃光発光管の管電流を回生せずに、次回発光のため、前記トリガコンデンサを充電したときにかかる時間より短く、且つ直近の発光がＦＰ発光の場合には、
発光開始直後に前記回生回路を接続し、前記閃光発光管の管電流を回生して前記トリガコンデンサを充電すると、前記スイッチ手段により前記回生回路の接続を切り離して、残りのＦＰ発光の微小発光を行う
ことを特徴とするフラッシュ装置
【発明の詳細な説明】
【技術分野】
【０００１】
本発明は、高速で連続発光することで疑似的な定常光を得るＦＰ発光を行うフラッシュ装置に関する。
【背景技術】
【０００２】
従来、一定間隔連続で微小発光することで疑似的な定常光を得るＦＰ発光機能や、フラッシュの発光により別のフラッシュ装置の発光を制御するワイヤレスフラッシュの機能など、様々な機能を持つフラッシュ装置がある。
【０００３】
まず、ＦＰ発光について説明する。
【０００４】
ＦＰ発光は前述の通り、一定間隔に連続で微小発光を行い、時間的に均一の発光量を得るものである。そのため、ＦＰ発光ならば、一般的にレンズ交換式の一眼レフカメラに用いられているフォーカルプレーンシャッタがスリット露光をする場合に、好適なフラッシュ撮影をすることができる。
【０００５】
フォーカルプレーンシャッタがスリット露光をする場合には、通常の単発光ではなく、ＦＰ発光が好ましいということについて、以下に説明する。
【０００６】
フォーカルプレーンシャッタは、先幕と後幕の２つのシャッター幕から構成されている。撮影の際、先幕は、覆っていた撮像素子やフィルム面を露出させるように走行し、続いて後幕が撮像素子やフィルム面を覆う方向に走行する。スリット露光は先幕がすべて開ききる前に後幕が走行を開始するものである。
【０００７】
通常のシャッタースピードの撮影で通常のフラッシュ発光を行うと、先幕が走行し、先幕が覆っていた撮像素子やフィルム面が完全に露出した時点でフラッシュが発光し、後幕が走行を開始するまでに発光を終える。そのため、フラッシュ発光は露光と完全に同期することができる。
【０００８】
対して、スリット露光では、前述の通り、先幕がすべて開ききる前に後幕が走行を開始する。そのため、通常の閃光発光では、フィルムやセンサーに対してスリット状にしか光があたらないので、例えば撮影画像が部分的に露光しない状態となってしまう可能性がある。
【０００９】
以上の理由により、スリット露光で撮影を行う際には、上記のＦＰ発光を行う。
【００１０】
ＦＰ発光では、一定間隔に連続で微小発光を行い、時間的に均一の発光量を得る。そのため、先幕と後幕が走行している間中、定常光のように発光を続けることができ、スリット露光でもフラッシュの発光と同期することができるからである。
【００１１】
しかし、従来、上記のようなＦＰ発光に際して、フラッシュ装置にノイズが発生し、ＦＰ発光が安定しないという問題があった。
【００１２】
かかるノイズは、ＦＰ発光時の連続発光のためにＩＧＢＴ信号が一定間隔に連続でオンオフするのに合わせて、トリガコンデンサが充放電されることが原因で発生するものである。
【００１３】
次に、図２を用いて上記ノイズの発生について説明する。
【００１４】
図２は従来のフラッシュ装置におけるＦＰ発光時のフラッシュ信号とトリガ信号とＩＧＢＴ信号と実際の発光のタイミング図である。
【００１５】
フラッシュ信号は発光命令である。トリガ信号は、閃光発光管内のキセノンガスをイオン化するためのトリガ電圧をかける命令であり、かかるトリガ信号に同期して閃光発光管の発光が開始される。ＩＧＢＴ信号は、トリガ信号がかけられイオン化した状態の閃光発光管においてオンになっている間、閃光発光管を実際に発光させる。
【００１６】
通常、ＦＰ発光機能を有するフラッシュ装置において、閃光発光管の発光をスイッチするため、ＩＧＢＴ素子が広く用いられており、ＩＧＢＴ素子によるスイッチ動作を、閃光発光管を励起するトリガコンデンサのスイッチと兼用するものが多い。かかるＩＧＢＴ素子とトリガコンデンサが接続されているため、ＩＧＢＴ信号をＦＰ発光の微小発光のためにオンオフするたびにトリガコンデンサが閃光発光管の管電流によって充放電され、結果、トリガコイルが誤動作してノイズが発生してしまう。かかるノイズは様々な信号へ影響を及ぼすが、本発明ではトリガ信号に発生したノイズについて説明する。
【００１７】
かかるノイズは上述の通り、トリガコイルからの電圧によって発生している。そのため、トリガコンデンサの電圧変化が大きい程大きなノイズを発生する。  結果的に、図２からわかる通り、発光のはじめに近いほど、大きなノイズが発生してしまう事になる。
【００１８】
かかるノイズはＦＰ発光の発光を不安定にするなどの悪影響を及ぼすものである。
【００１９】
そこで、上記のようなＦＰ発光時のノイズによる影響をなくすため、ノイズを低減するための技術が発明されている。
【先行技術文献】
【特許文献】
【００２０】
【特許文献１】特開２００６−１０６２０２号公報
【００２１】
特許文献１ に記載の発明では、ダイオードと抵抗によって、メインコンデンサからトリガコンデンサへ流れる電流と閃光発光管からトリガコンデンサへ流れる管電流を制限し、ノイズの影響をできるかぎり小さく抑えている。
【発明の概要】
【発明が解決しようとする課題】
【００２２】
しかしながら、特許文献１に記載の発明は、上記の通り、あくまでノイズの原因となる電流を小さく制限するだけのものである。したがって、特許文献１に記載の発明には、ノイズの抑制が不十分であるという問題があった。
【課題を解決するための手段】
【００２３】
そこで、上記課題を解決するため、本発明では、電圧が印加されることによって発光する閃光発光管と、前記閃光発光管にトリガをかけるトリガコンデンサと、前記閃光発光管の管電流を回生することでトリガコンデンサを充電する回生回路と、前記回生回路の接続と切り離しを切り替えるスイッチ手段と、各デバイスを制御する制御手段と、を有し、前記回生回路は、前記閃光発光管と前記スイッチ手段の間の位置に配置されることを特徴とするフラッシュ装置において、前記制御手段は、前記制御手段の発光命令のうち、直近の発光から次の発光までの時間と、前記閃光発光管の管電流を回生せずに、次回発光のため、前記トリガコンデンサを充電したときにかかる時間とを比較し、直近の発光から次の発光までの時間の方が、前記閃光発光管の管電流を回生せずに、次回発光のため、前記トリガコンデンサを充電したときにかかる時間より短く、且つ直近の発光がＦＰ発光の場合には、
発光開始直後に前記回生回路を接続し、前記閃光発光管の管電流を回生して前記トリガコンデンサを充電すると、前記スイッチ手段により前記回生回路の接続を切り離して、残りのＦＰ発光の微小発光を行うことを特徴とするフラッシュ装置とした。
【発明の効果】
【００２４】
本発明により、ＦＰ発光の際には、ＩＧＢＴ信号をＦＰ発光の微小発光のためにオンオフするたびにトリガコンデンサ５が閃光発光管の管電流によって充放電され、トリガコイルが誤動作してノイズが発生してしまうことを防ぐことができる。
【図面の簡単な説明】
【００２５】
【図１】本発明を適用して構成されたフラッシュ装置の回路図
【図２】従来のフラッシュ装置におけるＦＰ発光時のフラッシュ信号とトリガ信号とＩＧＢＴ信号と実際の発光のタイミング図
【図３】第１実施例のフローチャート
【図４】実施例１のフラッシュ装置におけるＦＰ発光時のフラッシュ信号とトリガ信号とＩＧＢＴ信号と回生回路のスイッチ信号と実際の発光のタイミング図
【発明を実施するための形態】
【００２６】
図１は本発明を適用して構成されたフラッシュ装置の回路図である。以下、図１を用いて実施例１のフラッシュ装置の回路構成を説明する。
【００２７】
図１において、メインコンデンサ１は図示されない電源回路等により給電されている。このメインコンデンサ１の両端には閃光発光管９及び、第１のスイッチとしてのＩＧＢＴ素子１０が接続されている。
【００２８】
また、閃光発光管９には並列に充電用抵抗３が接続されており、第２のスイッチとしてのＩＧＢＴ素子２のコレクタ側にはトリガコンデンサ５を介してトリガコイル８の１次側端子が接続されている。ＩＧＢＴ素子２は閃光発光管にトリガ電圧をかけるためのトリガスイッチとして設けられている。
【００２９】
ＩＧＢＴ素子１０のコレクタ側とＩＧＢＴ素子２のコレクタ側の間には、ＩＧＢＴ素子１０のコレクタ側に接続されるトランジスタ素子６，７の組み合わせによる第の３スイッチと、アノードをトランジスタ素子６、カソードをＩＧＢＴ素子２に接続したダイオード４が接続されている。
【００３０】
トランジスタ素子６，７の組み合わせによる第３スイッチは不要なトリガノイズの発生を防止する為に設けられている。また、ダイオード４はトランジスタ素子６に逆電圧がかかることを防ぐ目的で設けられている。
【００３１】
また、図１には不図示の、各デバイスを制御するフラッシュＣＰＵが設けられており、かかるフラッシュＣＰＵがフラッシュ装置全体の制御を行っている。
【００３２】
次に、トランジスタ素子６，７の組み合わせによる第３スイッチの動作について説明する。
【００３３】
トランジスタ素子６，７の組み合わせによる第３スイッチは不図示のＣＰＵによって、オンオフの制御を受けている。
【００３４】
かかる第３スイッチがオン状態のときは、閃光発光管９からの管電流をトリガコンデンサ５に回生する回生回路が第３スイッチにより接続され、閃光発光管９の管電流により、トリガコンデンサ５を充電することができる。
【００３５】
一方、かかる第３スイッチがオフ状態のときは、閃光発光管９からの管電流をトリガコンデンサ５に回生する回生回路の接続が切り離される。前述のＦＰ発光中には、第３スイッチをオフとして、閃光発光管９からの管電流を回生する回生回路の接続を切り離すことで、ＩＧＢＴ信号をＦＰ発光の微小発光のためにオンオフするたびにトリガコンデンサ５が閃光発光管９の管電流によって充放電され、トリガコイル８が誤動作し、ノイズが発生してしまうことを防ぐことができる。
【００３６】
かかるノイズは前述の通りＦＰ発光の発光を不安定にするなどの悪影響を及ぼすものであるから、かかるノイズを防ぐことにより、ＦＰ発光を安定して行うことができるようになる。
【００３７】
次に、第１実施例のフラッシュ装置の回路のＦＰ発光時の動作について、図４を用いて説明する。  
【００３８】
図４は第１実施例のフラッシュ装置におけるＦＰ発光時のフラッシュ信号とトリガ信号とメインＩＧＢＴ信号と回生回路のスイッチ信号と実際の発光のタイミング図である。
【００３９】
フラッシュ装置が発光するにあたって、まずはＣＰＵからフラッシュの発光命令であるフラッシュ信号がオンとなる。
【００４０】
次に、実際の発光と同期するＩＧＢＴ素子１０のＩＧＢＴ信号が先行してオンとなる。ただし、一回目のＩＧＢＴ信号がオンになった時点では発光しない。
【００４１】
次に、トリガ信号がオンとなる。このトリガ信号により、閃光発光管にトリガ電圧がかかり、閃光発光管内部のキセノンガスがイオン化し、閃光発光管の発光が開始される。
【００４２】
トリガ信号により、最初の発光が開始された後は、ＩＧＢＴ信号がオフになるまで発光が続く。
【００４３】
ＦＰ発光のため、ＩＧＢＴ素子１０のＩＧＢＴ信号はＦＰ発光のため小刻みにオンオフを繰り返すが、本実施例のフラッシュ装置においては、従来のフラッシュ装置のようにトリガ信号のノイズは発生しない。
【００４４】
これは、第１実施例のフラッシュ装置の回路では、前述のとおり回生回路が配置されており、ＦＰ発光中に第３スイッチがオフになることで、回生回路が切り離され、結果としてＦＰ発光中にトリガコンデンサと閃光発光管の接続が切り離されるためである。
【００４５】
次に、本実施例のフラッシュ装置の発光制御について、図３のフローチャートを用いて以下に説明する。
【００４６】
まず、＃１０１において、撮像装置のＣＰＵから発光命令が送信される。この時点ではメインコンデンサ１により、トリガコンデンサ５の充電は完了しており、発光の準備ができているものとする。
【００４７】
＃１０１が完了すると、＃１０２に進む。
【００４８】
＃１０２においては、ＣＰＵが直近の発光から次の発光までの時間と、直近の発光後、回生回路を用いずにトリガコンデンサ５を充電したときにかかる時間を比較する。
【００４９】
ここでいう直近の発光とは、以降の発光のうち、最初の発光であり、次の発光は直近の発光の次の発光を指す。
【００５０】
＃１０２は、第３スイッチがオンとしてトリガコンデンサ５と閃光発光管９を回生回路で接続する必要があるか否かを判断するためのステップである。
【００５１】
回生回路を用いずにトリガコンデンサ５を充電した時にかかる時間の方が長い場合には、回生回路を用いて次の発光のためにトリガコンデンサ５を充電する必要があると言える。逆に、次の発光までの時間の方が長い場合には回生回路を用いて次の発光のためにトリガコンデンサ５を充電する必要はないと言える。
【００５２】
回生回路を用いずにトリガコンデンサ５を充電した時にかかる時間の方が長い場合には＃１０３に進む。
【００５３】
次に、＃１０３において、直近の発光がＦＰ発光か否かを判断する。
【００５４】
＃１０３は、第３スイッチをオフにするタイミングを決定するためのステップである。
【００５５】
本発明は前述の通り、ＦＰ発光時にＩＧＢＴ信号をＦＰ発光の微小発光のためにオンオフするたびにトリガコンデンサ５が閃光発光管の管電流によって充放電され、トリガコイル８が誤動作してノイズが発生してしまうことを防ぐものである。
【００５６】
そのため、本発明では、直近の発光がＦＰ発光か否かを判断し、直近の発光がＦＰ発光の場合には、第３スイッチをオフにするタイミングを工夫することでかかるノイズの発生を防いでいる。
【００５７】
図４は前述の通り第１実施例のフラッシュ装置におけるＦＰ発光時のフラッシュ信号とトリガ信号とＩＧＢＴ信号と回生回路のスイッチ信号と実際の発光のタイミング図である。
【００５８】
以下、図４を用いて直近の発光がＦＰ発光である場合における第３スイッチをオフにするタイミングについて説明する。
【００５９】
前述の通り、ＦＰ発光の場合、ＩＧＢＴ素子１０のＩＧＢＴ信号のオンオフに同期して一定間隔連続で微小発光を行う。その間、トリガコンデンサ５と閃光発光管９が接続されていると、ＩＧＢＴ信号のオンオフに合わせてトリガコンデンサ５が充放電され、トリガコイル８が誤動作してノイズが発生してしまう。
【００６０】
そのため、直近の発光がＦＰ発光の場合には、速やかに第３スイッチをオフにする必要がある。
【００６１】
したがって、本実施例では、図４のｔ２の時点でＦＰ発光の微小発光の一つが完了し、一時発光が停止する前の図４のｔ１の時点で第３スイッチをオンとし、その発光が一時停止した時に閃光発光管９に発生した管電流をトリガコンデンサ５に回生してトリガコンデンサ５の充電を行う。そして、これが完了すると図４のｔ３の時点で第３スイッチをオフとして、以降のＦＰ発光をＩＧＢＴ素子１０のＩＧＢＴ信号のオンオフにより、続行する。
【００６２】
こうすることで、従来のようにＦＰ発光中ずっとトリガコンデンサ５と閃光発光管９が接続されていることにより、ＩＧＢＴ信号のオンオフに合わせてトリガコンデンサ５が充放電され、トリガコイル８が誤動作してノイズが発生してしまうことを避けることができる。
【００６３】
図４のｔ３の時点以降、ＩＧＢＴ素子１０のＩＧＢＴ信号のオンオフがあっても、第３スイッチがオフとなり、閃光発光管９とトリガコンデンサ５の接続が切り離されているため、トリガコンデンサ５が閃光発光管９に発生した管電流により充放電されることがないからである。
【００６４】
つまり、図３のフローチャートにおいて説明すると、＃１０３において直近の発光がＦＰ発光と判断された場合は、＃１０４で発光を開始する。
【００６５】
＃１０４で発光を開始すると、前述の通り、ＦＰ発光の微小発光の一つが完了し、一時発光が停止する前の図４のｔ１の時点で＃１０５に入り、第３スイッチをオンとし、回生回路により、トリガコンデンサ５と閃光発光管９を接続する。
【００６６】
＃１０５で第３スイッチがオンとなり、回生回路によりトリガコンデンサ５と閃光発光管９が接続されると、図４のｔ２の時点でＦＰ発光の微小発光の一つが完了し、一時発光が停止した際に閃光発光管９に管電流が発生するので、＃１０６において、閃光発光管９に発生した管電流が回生回路によりトリガコンデンサ５に回生され、トリガコンデンサ５が充電される。
【００６７】
＃１０６で閃光発光管９の管電流がトリガコンデンサ５に回生されると、図４のｔ３の時点で＃１０７において第３スイッチがオフとなり、回生回路の接続が切り離される。これにより、閃光発光管９とトリガコンデンサ５が切り離されるため、＃１０４で開始したＦＰ発光における、第３スイッチをオフとした図４のｔ３の時点以降の、連続した微小発光を行うためのＩＧＢＴ信号のオンオフでは、トリガコンデンサ５の充放電は起こらず、トリガコイル８も誤動作しないためノイズも発生しない。
【００６８】
次に、＃１０８において、図４のｔ３の時点以降の、連続した微小発光が全て終了し、これにより＃１０４で開始したＦＰ発光が終了となる。
【００６９】
＃１０８においてＦＰ発光が終了すると、＃１１６で次の発光の更にその次に発光命令があるか否かを判断する。
【００７０】
次の発光の更にその次に発光命令があれば＃１０２に戻り、なければ＃１１７に進んで、＃１０６で管電流を回生して充電したトリガコンデンサ５により閃光発光管にトリガ電圧をかけ、発光を行い、本実施例のフラッシュ発光制御処理を終了する。
【００７１】
次に、＃１０３において、直近の発光がＦＰ発光以外であると判断された場合について述べる。
【００７２】
＃１０３において直近の発光がＦＰ発光以外であると判断された場合には、まず＃１０９で第３スイッチをオンとし、回生回路により、トリガコンデンサ５と閃光発光管９を接続すると、＃１１０で発光を開始する。
【００７３】
次に、＃１１１において＃１１０で開始した発光が終了すると、その後＃１１２において、＃１１１で発光が終了した際に閃光発光管９に発生した管電流をトリガコンデンサ５に回生し、トリガコンデンサ５を充電するまで、第３スイッチはオンとして、回生回路によりトリガコンデンサ５と閃光発光管９を接続したままにしておく。
【００７４】
前述の通り、直近の発光がＦＰ発光の場合には充電完了後、ＦＰ発光の全ての微小発光が終了する前に第３スイッチをオフとするが、直近の発光がＦＰ発光以外の場合には発光の終了後に充電を行い、その後第３スイッチをオフとする。
【００７５】
直近の発光がＦＰ発光の場合、充電完了後、第３スイッチをオフとしてから発光が完了となるのは、ＦＰ発光の微小発光の一つが完了し、一時発光が停止したところで閃光発光管９に発生した管電流を回生してトリガコンデンサ５を充電することで、ＦＰ発光の全ての微小発光が完了するより前に充電を完了し、第３スイッチをオフとして、閃光発光管９とトリガコンデンサ５の接続を切り離すことで、管電流回生後のノイズの発生を防いでいるからである。
【００７６】
一方、直近の発光がＦＰ発光以外の発光の場合、発光完了後に充電を行い、その後第３スイッチがオフとなるのは、ＦＰ発光以外の発光の場合、一定間隔連続で微小発光するためにＩＧＢＴ信号を一定間隔連続でオンオフさせることにより、発光中にノイズが発生するというような事情もない。そのため、直近の発光がＦＰ発光以外の発光の場合は、発光開始から発光終了まで閃光発光管９とトリガコンデンサ５の接続を切り離す必要がなく、発光開始から発光終了まで第３スイッチをオンのままにしておくことができる。
【００７７】
また、直近の発光が通常の単発光の場合には必然的に、発光開始、発光終了、管電流の回生によるトリガコンデンサ５の充電、第３スイッチをオフとして閃光発光管９とトリガコンデンサ５の接続を切り離す、という順になる。通常の単発光の場合、管電流が回生回路に流れるのは発光終了後だからである。
【００７８】
上記の通り、直近の発光がＦＰ発光以外の発光の場合は、＃１１２において、＃１１１のときの発光終了時に発生した、閃光発光管９の管電流が回生回路によりトリガコンデンサ５に回生され、トリガコンデンサ５が充電されると、＃１１３において第３スイッチがオフとなり、回生回路の接続が切り離される。これにより、閃光発光管９とトリガコンデンサ５が切り離される。
【００７９】
＃１１３で第３スイッチがオフとなり、回生回路の接続が切り離されると、＃１１６で次の発光の更にその次に発光命令があるか否かを判断する。
【００８０】
次回発光の更にその次に発光命令があれば＃１０２に戻り、なければ＃１１７に進んで、＃１０６で管電流を回生して充電したトリガコンデンサ５により閃光発光管９にトリガ電圧をかけ、発光を行い、本実施例のフラッシュ発光制御処理を終了する。
【００８１】
次に、＃１０２において、直近の発光から次回発光までの時間と、直近の発光後、回生回路を用いずにトリガコンデンサを充電したときにかかる時間を比較し、次回発光までの時間の方が長いと判断された場合について述べる。
【００８２】
次回発光までの時間の方が長い場合には、直近の発光後に閃光発光管９に発生する管電流を回生して、次回の発光のためにトリガコンデンサ５を充電する必要がないため、メインコンデンサ１の電圧により、トリガコンデンサ５を充電する。
【００８３】
また、直近の発光の次の発光がない場合も、直近の発光後に閃光発光管９に発生する管電流を回生して、次回の発光のためにトリガコンデンサ５を充電する必要がないため、＃１０２で次回発光までの時間と、回生回路を用いずにトリガコンデンサを充電したときにかかる時間を比較し、回生回路を用いずにトリガコンデンサを充電したときにかかる時間の方が長いと判断されない場合に含まれる。
【００８４】
上記の理由により、＃１０２において次回発光までの時間の方が長い場合と、直近の発光の次の発光がない場合には、＃１１４において発光を開始し、＃１１５で発光が終了すると、本実施例のフラッシュ発光制御処理を終了する。
【００８５】
また、本実施例では、撮像装置のＣＰＵからフラッシュ装置のＣＰＵに対して発光命令があった場合を想定しているが、例えばユーザが直接フラッシュ装置の操作ボタンにより、発光命令をする場合にも本発明を実施することができる。
【００８６】
以上の通り、本発明によれば、ＦＰ発光の際、ＩＧＢＴ信号をＦＰ発光の微小発光のためにオンオフするたびにトリガコンデンサ５が閃光発光管の管電流によって充放電され、ノイズが発生してしまうことを防ぐことができる。
【符号の説明】
【００８７】
１  メインコンデンサ
２  ＩＧＢＴ素子
３  抵抗
４  ダイオード
５  トリガコンデンサ
６  トランジスタ素子
７  トランジスタ素子
８  トリガトランス
９  閃光発光管
１０  ＩＧＢＴ素子
【図１】
2013210528.tif 000003
【図２】
2013210528.tif 000004
【図３】
2013210528.tif 000005
【図４】
2013210528.tif 000006